(57)【要約】【課題】本発明は、コスト管理が容易で画像品質の維持が可能な、映像処理装置と方法及び液晶ディスプレイを提供する。【解決手段】本発明の映像処理装置は、バッファーユニットと、縮小処理ユニットと、ＳＤＲＡＭと、オーバードライブ処理ユニットと、比較ユニットと、復元処理ユニットと、出力制御ユニットとからなる。本発明は、入力された高解像度画像に対して直接オーバードライブ処理を行うのではなく、入力された高解像度画像をバッファーユニットで一時記憶するとともに、入力された高解像度画像を縮小処理する。オーバードライブ処理の時、画像データ量が既に縮小されているため、ＳＤＲＡＭの消費空間も相応に減少し、高解像度の画像入力でもＳＤＲＡＭの数を増やす必要がなくなる。また出力時、静止画像は直接出力し、動態画像に対してはオーバードライブ処理を経て且つ元々の解像度に復元した画像を出力するため、画像の品質を維持出来る。【選択図】図２
2016507780.tif 000002
【特許請求の範囲】
【請求項１】
バッファーユニットと、縮小処理ユニットと、ＳＤＲＡＭと、オーバードライブ処理ユニットと、比較ユニットと、復元処理ユニットと、出力制御ユニットとからなる映像処理装置であって、
前記バッファーユニットは、入力された高解像度画像である第一画像を一時記憶し、
前記縮小処理ユニットは、比率に応じて第一画像の解像度を縮小して、第二画像を得て、
前記ＳＤＲＡＭ（シンクロナス・ディーラム）は、前記第二画像を受け取って一時保存するとともに、第三画像を出力し、
前記第三画像は、前記第二画像の一つ前の画像フレームであり、
前記オーバードライブ処理ユニットは、前記第二画像と前記第三画像に基づいてオーバードライブ処理を行うとともに、第四画像を出力し、
前記比較ユニットは、前記第二画像と前記第三画像の差異を比較して、比較結果を出力し、
前記復元処理ユニットは、前記比較ユニットが前記第二画像と前記第三画像について同等でないと判断した時、前記第四画像を前記第一画像と同等の解像度に復元して、第五画像を得て、
前記出力制御ユニットは、前記比較ユニットが前記第二画像と前記第三画像について同等でないと判断した時、前記第五画像を出力するか、或は、前記比較ユニットが前記第二画像と前記第三画像について同等であると判断した時、前記第一画像を出力することを特徴とする、映像処理装置。
【請求項２】
前記高解像度画像は、解像度がフルハイビジョンよりも高い画像であることを特徴とする、請求項１に記載の映像処理装置。
【請求項３】
前記映像処理装置には、更に、圧縮処理ユニットが設けられ、
前記圧縮処理ユニットは、前記ＳＤＲＡＭに保存された第二画像に対して圧縮処理を行うとともに、前記ＳＤＲＡＭから取り出した第三画像に対して圧縮の解凍処理を行うことを特徴とする、請求項１に記載の映像処理装置。
【請求項４】
前記映像処理装置には、更に、入力制御ユニットが設けられ、
前記入力制御ユニットは、入力画像の解像度を判断するとともに、入力画像の解像度がフルハイビジョンよりも大きいと判断した時には、入力画像を前記バッファーユニットと前記縮小処理ユニットにそれぞれ伝送し、入力画像の解像度がフルハイビジョンよりも小さい或は同等であると判断した時には、入力画像を直接前記ＳＤＲＡＭと前記オーバードライブ処理ユニットへ伝送することを特徴とする、請求項１に記載の映像処理装置。
【請求項５】
映像処理装置が設けられた液晶ディスプレイであって、
前記映像処理装置は、バッファーユニットと、縮小処理ユニットと、ＳＤＲＡＭと、オーバードライブ処理ユニットと、比較ユニットと、復元処理ユニットと、出力制御ユニットとからなり、
前記バッファーユニットは、入力された高解像度画像である第一画像を一時記憶し、
前記縮小処理ユニットは、比率に応じて第一画像の解像度を縮小して、第二画像を得て、
前記ＳＤＲＡＭ（シンクロナス・ディーラム）は、前記第二画像を受け取って一時保存するとともに、第三画像を出力し、
前記第三画像は、前記第二画像の一つ前の画像フレームであり、
前記オーバードライブ処理ユニットは、前記第二画像と前記第三画像に基づいてオーバードライブ処理を行うとともに、第四画像を出力し、
前記比較ユニットは、前記第二画像と前記第三画像の差異を比較して、比較結果を出力し、
前記復元処理ユニットは、前記比較ユニットが前記第二画像と前記第三画像について同等でないと判断した時、前記第四画像を前記第一画像と同等の解像度に復元して、第五画像を得て、
前記出力制御ユニットは、前記比較ユニットが前記第二画像と前記第三画像について同等でないと判断した時、前記第五画像を出力するか、或は、前記比較ユニットが前記第二画像と前記第三画像について同等であると判断した時、前記第一画像を出力することを特徴とする、液晶ディスプレイ。
【請求項６】
前記高解像度画像は、解像度がフルハイビジョンよりも高い画像であることを特徴とする、請求項５に記載の液晶ディスプレイ。
【請求項７】
前記液晶ディスプレイには、更に、圧縮処理ユニットが設けられ、
前記圧縮処理ユニットは、前記ＳＤＲＡＭに保存された第二画像に対して圧縮処理を行うとともに、前記ＳＤＲＡＭから取り出した第三画像に対して圧縮の解凍処理を行うことを特徴とする、請求項５に記載の液晶ディスプレイ。
【請求項８】
前記液晶ディスプレイには、更に、入力制御ユニットが設けられ、
前記入力制御ユニットは、入力画像の解像度を判断するとともに、入力画像の解像度がフルハイビジョンよりも大きいと判断した時には、入力画像を前記バッファーユニットと前記縮小処理ユニットにそれぞれ伝送し、入力画像の解像度がフルハイビジョンよりも小さい或は同等であると判断した時には、入力画像を直接前記ＳＤＲＡＭと前記オーバードライブ処理ユニットへ伝送することを特徴とする、請求項５に記載の液晶ディスプレイ。
【請求項９】
映像処理方法であって、
入力された高解像度画像を第一画像として一時記憶する手順と、
入力された高解像度画像の解像度を下げて、第二画像を得る手順と、
前記第二画像を受け取るとともに一時保存し、前記第二画像の一つ前の画像フレームである第三画像を出力する手順と、
前記第二画像と前記第三画像に基づいてオーバードライブ処理をするとともに、第四画像を出力する手順と、
前記第二画像と前記第三画像が同等か否かを比較して、比較結果を出力する手順と、
前記第二画像と前記第三画像が同等である時、前記第一画像を出力する手順と、
前記第二画像と前記第三画像が同等でない時、前記第四画像の解像度を前記第一画像と同等の解像度に復元して、第五画像を得る手順と、
前記第五画像を出力する手順と、
を含むことを特徴とする、映像処理方法。
【請求項１０】
前記高解像度画像は、解像度がフルハイビジョンよりも高い画像であることを特徴とする、請求項９に記載の映像処理方法。
【請求項１１】
前記第二画像を受け取って一時保存する前には、更に、前記第二画像を圧縮処理する手順を含み、
前記第二画像と前記第三画像に基づいてオーバードライブ処理を行う前には、更に、前記第三画像に対して圧縮の解凍処理をする手順を含むことを特徴とする、請求項９に記載の映像処理方法。
【請求項１２】
前記映像処理方法は、更に、入力制御手順を含み、
前記入力制御手順は、入力画像の解像度を判断するとともに、判断結果に基づいて画像入力を制御するという手順であることを特徴とする、請求項９に記載の映像処理方法。
【請求項１３】
前記入力制御手順は、更に、
前記入力画像の解像度がフルハイビジョンよりも大きいと判断した時には、前記入力画像を一時記憶するとともに、高解像度の前記入力画像の解像度を下げる手順と、
前記入力画像の解像度がフルハイビジョンよりも小さい或は同等であると判断した時には、前記入力画像をオーバードライブ処理ユニットへ送りオーバードライブ処理を行う手順と、
を含むことを特徴とする、請求項１２に記載の映像処理方法。
【発明の詳細な説明】
【技術分野】
【０００１】
本発明は、画像表示の技術に関し、特に、映像処理装置と方法及び液晶ディスプレイに関する。
【背景技術】
【０００２】
薄膜トランジスタ液晶ディスプレイ（ＴＦＴ−ＬＣＤ）は、高解像度・薄型軽量・低消費電力等の長所を備えているため、画像表示の技術に幅広く使用されている。ＴＦＴ−ＬＣＤは、ホールド型駆動方法であり、液晶分子の捩れによって光の導通を制御している。しかし、液晶分子の捩れには一定の過程が必要であるため、ＴＦＴ−ＬＣＤは応答時間が長くなり、画像表示の際、特に動画表示の時に、輪郭が不鮮明になったり残影が生じたりすることがある。よって、応答時間をどのように改善するかは、各メーカーが技術開発する際の重点課題となっている。
【０００３】
オーバードライブ（Ｏｖｅｒ  Ｄｒｉｖｅ、ＯＤ）技術は、ＴＦＴ−ＬＣＤの応答時間を改善する重要な技術的手段であり、駆動電圧が高いほど液晶分子の捩れスピードが速くなり応答時間も早くなるという、液晶分子の捩れスピードと駆動電圧の関係を利用している。図１を参照する。従来のオーバードライブ技術を実施した際、入力された画像は同時にオーバードライブユニットとフレームバッファーに送られる。オーバードライブユニットは入力された画像とフレームバッファーから送られた画像に基づいて、ルックアップテーブルを通じて最終的に出力する画像のグレースケールを決定する。この時、フレームバッファーに保存された画像は元々の解像度のままである。
【０００４】
昨今、高解像度が平面ディスプレイの主な発展方向となるにつれて、解像度の上昇が処理を必要とするデータ量を大幅増加させており、オーバードライブ処理時のフレームバッファーに対する需要も高まっている。現在のフレームバッファーには、シンクロナス・ディーラム（Ｓｙｎｃｈｒｏｎｏｕｓ  Ｄｙｎａｍｉｃ  Ｒａｎｄｏｍ  Ａｃｃｅｓｓ  Ｍｅｍｏｒｙ、ＳＤＲＡＭ）が用いられることが多く、ＳＤＲＡＭの価格と容量は正比例する。入力画像の解像度が大きくなれば、必要なＳＤＲＡＭの容量も増えることになり、これに応じてＳＤＲＡＭの数を増やして容量を拡充する必要が生じるため、ＴＦＴ−ＬＣＤの製造コストを増加させ、コスト管理を難しくしている。
【発明の概要】
【発明が解決しようとする課題】
【０００５】
本発明は、ＳＤＲＡＭの使用を効果的に減らすことでコストを削減する、映像処理装置と方法及び液晶ディスプレイを提供することを目的とする。
【課題を解決するための手段】
【０００６】
上述の目的を達成するために、本発明が提供する映像処理装置は、バッファーユニットと、縮小処理ユニットと、ＳＤＲＡＭと、オーバードライブ処理ユニットと、比較ユニットと、復元処理ユニットと、出力制御ユニットとからなる。バッファーユニットは、入力された高解像度の第一画像を一時記憶する。縮小処理ユニットは、比率に応じて第一画像の解像度を縮小して、第二画像を得る。ＳＤＲＡＭ（シンクロナス・ディーラム）は、第二画像を受け取って一時保存するとともに、第三画像を出力する。第三画像は、第二画像の一つ前の画像フレームである。オーバードライブ処理ユニットは、第二画像と第三画像に基づいてオーバードライブ処理を行うとともに、第四画像を出力する。比較ユニットは、第二画像と第三画像の差異を比較して、比較結果を出力する。復元処理ユニットは、比較ユニットが第二画像と第三画像について同等でないと判断した時、第四画像を第一画像と同等の解像度に復元して、第五画像を得る。出力制御ユニットは、比較ユニットが第二画像と第三画像について同等でないと判断した時、第五画像を出力するか、或は、比較ユニットが第二画像と第三画像について同等であると判断した時、第一画像を出力する。
【０００７】
このうち、高解像度の画像は、解像度がフルハイビジョンよりも高い画像である。
【０００８】
更に、映像処理装置には、圧縮処理ユニットが設けられる。圧縮処理ユニットは、ＳＤＲＡＭに保存された第二画像に対して圧縮処理を行うとともに、ＳＤＲＡＭから取り出した第三画像に対して圧縮の解凍処理を行う。
【０００９】
また更に、映像処理装置には、入力制御ユニットが設けられる。入力制御ユニットは、入力画像の解像度を判断するとともに、入力画像の解像度がフルハイビジョンよりも大きいと判断した時には、入力画像をバッファーユニットと縮小処理ユニットにそれぞれ伝送し、入力画像の解像度がフルハイビジョンよりも小さい或は同等であると判断した時には、入力画像を直接ＳＤＲＡＭとオーバードライブ処理ユニットへ伝送する。
【００１０】
また、本発明が提供する液晶ディスプレイには、映像処理装置が設けられる。このうち、映像処理装置は、バッファーユニットと、縮小処理ユニットと、ＳＤＲＡＭと、オーバードライブ処理ユニットと、比較ユニットと、復元処理ユニットと、出力制御ユニットとからなる。バッファーユニットは、入力された高解像度の第一画像を一時記憶する。縮小処理ユニットは、比率に応じて第一画像の解像度を縮小して、第二画像を得る。ＳＤＲＡＭ（シンクロナス・ディーラム）は、第二画像を受け取って一時保存するとともに、第三画像を出力する。第三画像は、第二画像の一つ前の画像フレームである。オーバードライブ処理ユニットは、第二画像と第三画像に基づいてオーバードライブ処理を行うとともに、第四画像を出力する。比較ユニットは、第二画像と第三画像の差異を比較して、比較結果を出力する。復元処理ユニットは、比較ユニットが第二画像と第三画像について同等でないと判断した時、第四画像を第一画像と同等の解像度に復元して、第五画像を得る。出力制御ユニットは、比較ユニットが第二画像と第三画像について同等でないと判断した時、第五画像を出力するか、或は、比較ユニットが第二画像と第三画像について同等であると判断した時、第一画像を出力する。
【００１１】
このうち、高解像度の画像は、解像度がフルハイビジョンよりも高い画像である。
【００１２】
更に、映像処理装置には、圧縮処理ユニットが設けられる。圧縮処理ユニットは、ＳＤＲＡＭに保存された第二画像に対して圧縮処理を行うとともに、ＳＤＲＡＭから取り出した第三画像に対して圧縮の解凍処理を行う。
【００１３】
更に、映像処理装置には、入力制御ユニットが設けられる。入力制御ユニットは、入力画像の解像度を判断するとともに、入力画像の解像度がフルハイビジョンよりも大きいと判断した時には、入力画像をバッファーユニットと縮小処理ユニットにそれぞれ伝送し、入力画像の解像度がフルハイビジョンよりも小さい或は同等であると判断した時には、入力画像を直接ＳＤＲＡＭとオーバードライブ処理ユニットへ伝送する。
【００１４】
また、本発明が提供する映像処理方法は、以下の手順からなる。即ち、入力された高解像度画像を第一画像として一時記憶する手順。入力された高解像度画像の解像度を下げて、第二画像を得る手順。第二画像を受け取るとともに一時保存し、第二画像の一つ前の画像フレームである第三画像を出力する手順。第二画像と第三画像に基づいてオーバードライブ処理をするとともに、第四画像を出力する手順。第二画像と第三画像が同等か否かを比較して、比較結果を出力する手順。第二画像と第三画像が同等である時、第一画像を出力する手順。第二画像と第三画像が同等でない時、第四画像の解像度を第一画像と同等の解像度に復元して、第五画像を得る手順。第五画像を出力する手順。
【００１５】
このうち、高解像度画像は、解像度がフルハイビジョンよりも高い画像である。
【００１６】
このうち、前記第二画像を受け取って一時保存する前には、更に、第二画像を圧縮処理する手順を含む。第二画像と第三画像に基づいてオーバードライブ処理を行う前には、更に、第三画像に対して圧縮の解凍処理をする手順を含む。
【００１７】
映像処理方法は、更に、入力制御手順を含む。入力制御手順は、入力画像の解像度を判断するとともに、判断結果に基づいて画像入力を制御するという手順である。
【００１８】
このうち、入力制御手順は、更に以下の手順を含む。即ち、入力画像の解像度がフルハイビジョンよりも大きいと判断した時には、入力画像を一時記憶するとともに、入力された高解像度画像の解像度を下げる手順。入力画像の解像度がフルハイビジョンよりも小さい或は同等であると判断した時には、入力画像をオーバードライブ処理ユニットへ送りオーバードライブ処理を行う手順。
【発明の効果】
【００１９】
本発明の映像処理装置と方法及び液晶ディスプレイは、入力された高解像度画像に対して直接オーバードライブ処理を行うのではなく、一方では入力された高解像度画像をバッファーユニットで一時記憶し、もう一方では入力された高解像度画像に対して縮小処理を行う。実際にオーバードライブ処理を行う時には、画像データ量が既に縮小されているため、消費されるＳＤＲＡＭの空間も相応に減少する。よって、高解像度画像が入力されたとしても、ＳＤＲＡＭの数を増やす必要がなく、コスト管理が容易になる。また出力時において、静止画像は直接出力し、動態画像に対してはオーバードライブ処理を経て且つ元々の解像度に復元した画像を出力することにより、画像の品質を維持することが出来る。
【図面の簡単な説明】
【００２０】
【図１】従来のオーバードライブ処理の概略図である。
【図２】本発明の実施例１における映像処理装置の構造を示した概略図である。
【図３】本発明の実施例１における映像処理装置のもう一つの構造を示した概略図である。
【図４】本発明の実施例３における映像処理方法のフローチャートである。
【発明を実施するための形態】
【００２１】
本発明の好ましい実施例について、図を参照しつつ以下で説明する。尚、ここで言及する図は、本発明の実施例や現在技術についてより詳しく説明するために、必要となる簡単なものであり、あくまで本発明の実施例の一つを示すに留まる。本発明の技術領域における一般的な技術員とっては、創造的労力を加えることなく、これらの図に基づいて関連するその他の図を得ることが可能である。
【００２２】
本発明の実施例の構想は、高解像度画像が入力された時、直接ＳＤＲＡＭに保存するのではなく、処理していない元々の高解像度画像をバッファーへ送って一時保存し、これと同時にサイズダウン処理装置によって元々の高解像度画像のデータ量を縮小してから、サイズダウン後の画像をオーバードライブユニットへ送って通常のＯＤ処理を行う。最後に、比較装置によって現段階と一つ前の段階の画像が同等か否かを比較する。両者が同等の場合には、画像は静止映像であり、バッファーに一時保存された元々の高解像度画像を出力し、逆の場合には、動態画像であり、ＯＤ処理を経た後の画像を元々の解像度に復元して出力する。このように、ＳＤＲＡＭによってＯＤ処理を行う必要がある時、ＳＤＲＡＭに保存される画像はいずれも既にサイズダウンされており、解像度が下げられているため、ＳＤＲＡＭは元々の高解像度画像のために容量を拡大する必要がない。よって、相当する数のＳＤＲＡＭを節約して、コストを管理することが出来ると同時に、画像の品質を下げることもない。本発明の実施例において、高解像度画像とは、解像度がフルハイビジョン（Ｆｕｌｌ  Ｈｉｇｈ  Ｄｅｆｉｎｉｔｉｏｎ、ＦＨＤ、通常は１９２０×１０８０）よりも高い画像であり、例えば、ウルトラハイビジョン（Ｕｌｔｒａ  Ｈｉｇｈ  Ｄｅｆｉｎｉｔｉｏｎ、ＵＨＤ、通常は３８４０×２１６０）の画像である。
【００２３】
（実施例１）
具体的には、図２を参照する。本発明の実施例１において、映像処理装置は、バッファーユニット１と、縮小処理ユニット２と、ＳＤＲＡＭ３と、オーバードライブ処理ユニット４と、比較ユニット５と、復元処理ユニット６と、出力制御ユニットとからなる。
【００２４】
バッファーユニット１は、入力された高解像度の第一画像を一時記憶する。
【００２５】
縮小処理ユニット２は、比率に応じて第一画像の解像度を下げて、第二画像を得る。
【００２６】
ＳＤＲＡＭ３（シンクロナス・ディーラム）は、前記第二画像を受け取るとともに一時保存して、第三画像を出力する。第三画像は、第二画像の一つ前の画像フレームである。
【００２７】
オーバードライブ処理ユニット４は、第二画像と第三画像に基づいてオーバードライブ処理を行い、第四画像を出力する。
【００２８】
比較ユニット５は、第二画像と第三画像の差異を比較するとともに、比較結果を出力する。
【００２９】
復元処理ユニット６は、比較ユニット５が第二画像と第三画像について同等でないと判断した時、第四画像を第一画像と同等の解像度に復元して、第五画像を得る。
【００３０】
出力制御ユニット７は、比較ユニット５が第二画像と第三画像について同等でないと判断した時、第五画像を出力するか、或は、比較ユニット５が第二画像と第三画像について同等であると判断した時、第一画像を出力する。
【００３１】
ウルトラハイビジョン画像（４ｋ×２ｋ）が入力された場合を例として挙げる。前記ウルトラハイビジョン画像（即ち、第一画像）は、同時にバッファーユニット１と縮小処理ユニット２に送られる。縮小処理ユニット２は、その解像度をフルハイビジョン（１９２０×１０８０）に下げて、第二画像を得る。第二画像のデータ量は、第一画像よりも大幅に少なく、これに応じて、ＳＤＲＡＭ３が保存のために消費する容量も、縮小処理をせずに直接第一画像を保存する場合に比べて大幅に少なくなるため、コスト削減の効果が得られる。ＳＤＲＡＭ３の一時記憶作用により、第二画像が保存された後、出力されるのは第二画像の一つ前の画像フレーム（第三画像）であり、オーバードライブ処理ユニット４は第二画像と第三画像のデータ変化を比較して、ルックアップテーブル（Ｌｏｏｋ−ｕｐ  Ｔａｂｌｅ、ＬＵＴ）を通じて通常のオーバードライブ処理を行い、第四画像を得る。続いて、比較ユニット５が第二画像と第三画像の差異を比較して、比較結果を出力する。比較結果は、同等である、或は同等でない、の中のいずれか一つである。第二画像と第三画像が同等である場合には、前後２つの画像フレームに差がなく、静止画像であると判明するため、出力制御ユニット７はバッファーユニット１から第一画像を取り出して出力する。静止画像は、オーバードライブ処理を行う必要がなく、出力時の画像品質は元のままである。第二画像と第三画像が同等でない場合には、前後２つの前後画像フレームに差があり、動態画像であることが判明するため、オーバードライブ処理を経た画像を出力する必要がある。オーバードライブ処理を経た第四画像は、解像度が縮小処理ユニット２によって縮小されているため、復元処理ユニット６によって第四画像を第一画像と同等の解像度に復元して、第五画像を得てから、出力制御ユニット７によって制御出力する。第五画像が出力される前、解像度は既に元々の入力画像（第一画像）と同等の解像度に復元されているため、画像品質が下がることはない。
【００３２】
以上のように、本発明の実施例１における映像処理装置は、入力された高解像度画像に対して直接オーバードライブ処理を行うのではなく、一方では入力された高解像度画像をバッファーユニットで一時記憶し、もう一方では入力された高解像度画像に対して縮小処理を行う。これにより、実際にオーバードライブ処理を行う時、画像データ量が既に縮小されているため、消費されるＳＤＲＡＭの空間も相応に減少する。よって、高解像度画像が入力されたとしても、ＳＤＲＡＭの数を増やす必要がなく、コスト管理が容易になる。また出力時において、静止画像は直接出力し、動態画像に対してはオーバードライブ処理を経て且つ元々の解像度に復元した画像を出力することにより、画像の品質を維持することが出来る。当然のことながら、縮小処理ユニット２が縮小処理をするとともに復元処理ユニット６が復元処理を行う時には、画像のデータ量が失われるものの、この損失はほとんどの場合考慮する必要がないものである。よって、実施例１の映像処理装置は、オーバードライブ処理を行うべきデータ量を下げ、且つ画像品質を低下させないため、高い実用性を備えている。
【００３３】
図３を参照する。本発明の実施例１における映像処理装置には、更に圧縮処理ユニット８が設けられる。
【００３４】
圧縮処理ユニット８は、ＳＤＲＡＭ３に保存された第二画像に対して圧縮処理を行うとともに、ＳＤＲＡＭ３から取り出した第三画像に対して圧縮の解凍処理を行う。このように、画像をＳＤＲＡＭ３に保存する時、先ず圧縮処理によってデータ量を縮小することで、ＳＤＲＡＭの消費空間を減らし、ＳＤＲＡＭの使用を削減することが可能になる。また、画像を取り出す時には、後続ユニットでの処理のために、圧縮の解凍処理を行う。
【００３５】
このほか、実施例１の映像処理装置における画像入力の前段階には、入力制御ユニット９が設けられる。入力制御ユニット９は、入力画像の解像度を判断し、入力画像の解像度がフルハイビジョンよりも大きいと判断した時には、入力画像をバッファーユニット１と縮小処理ユニット２にそれぞれ伝送し（図２参照）、入力画像の解像度がフルハイビジョンよりも小さい或は同等であると判断した時には、入力画像を直接ＳＤＲＡＭ３とオーバードライブ処理ユニット４に伝送する。実施例１の映像処理装置は、高解像度の画像入力向けであり、もし入力画像の解像度が高くなく、データ量が大きくない場合には、使用されるＳＤＲＡＭも比較的少ないため、縮小処理ユニット２の処理とバッファーユニット１の一時記憶を経る必要がなく、直接従来の方法でオーバードライブ処理を行う。このように、出力制御ユニット９が設けられて、予め入力画像の解像度に対する判断を行うことにより、後続処理方法を柔軟に選択し易くなる。
【００３６】
（実施例２）
本発明の実施例２は、本発明の実施例１（図２・図３を参照）の映像処理装置が設けられた液晶ディスプレイである。
【００３７】
（実施例３）
図４を参照する。本発明の実施例３は、実施例１の映像処理装置と対応した映像処理方法であり、以下の手順からなる。
手順Ｓ１０１：入力された高解像度画像を第一画像として一時記憶する。
手順Ｓ１０２：入力された高解像度画像の解像度を下げて、第二画像を得る。この手順は、Ｓ１０１と同時進行される。
手順Ｓ１０３：第二画像を受け取るとともに一時保存し、第三画像を出力する。第三画像は、第二画像の一つ前の画像フレームである。
手順Ｓ１０４：第二画像と第三画像に基づいてオーバードライブ処理をするとともに、第四画像を出力する。
手順Ｓ１０５：第二画像と第三画像が同等か否かを比較して、比較結果を出力する。
手順Ｓ１０６：第二画像と第三画像が同等である時、第一画像を出力する。
手順Ｓ１０７：第二画像と第三画像が同等でない時、第四画像の解像度を第一画像と同等の解像度に復元して、第五画像を得る。
手順Ｓ１０８：第五画像を出力する。
【００３８】
実施例１と同様に、本発明の実施例３の映像処理方法は、入力された高解像度画像に対して直接オーバードライブ処理を行うのではなく、一方では入力された高解像度画像をバッファーユニットで一時記憶し、もう一方では入力された高解像度画像に対して縮小処理を行う。これにより、実際にオーバードライブ処理を行う時、画像データ量が既に縮小されているため、消費されるＳＤＲＡＭの空間も相応に減少する。よって、高解像度画像の入力のために、ＳＤＲＡＭの数を増やす必要がなく、コスト管理が容易になる。また出力時において、静止画像は直接出力し、動態画像に対してはオーバードライブ処理を経て且つ元々の解像度に復元した画像を出力することにより、画像の品質を維持することが出来る。
【００３９】
加えて、前記第二画像を受け取って一時保存する手順Ｓ１０３の前には、更に、第二画像を圧縮処理する手順を含む。第二画像と第三画像に基づいてオーバードライブ処理を行う手順Ｓ１０４の前には、更に、第三画像に対して圧縮の解凍処理をする手順を含む。このように、画像をＳＤＲＡＭに保存する時、先ず圧縮処理によってデータ量を縮小することで、ＳＤＲＡＭの消費空間を減らし、ＳＤＲＡＭの使用を削減することが可能になる。また、画像を取り出す時には、後続ユニットでの処理のために、圧縮の解凍処理を行う。
【００４０】
このほか、手順Ｓ１０１及びＳ１０２の前には、更に、入力制御手順を含む。入力制御手順は、入力画像の解像度を判断するとともに、判断結果に基づいて画像入力を制御するという手順である。具体的には、入力画像の解像度がフルハイビジョンよりも大きいと判断した時には、手順Ｓ１０１及びＳ１０２を実行し、入力画像の解像度がフルハイビジョンよりも小さい或は同等であると判断した時には、入力画像をオーバードライブ処理ユニットへ送りオーバードライブ処理を行う。実施例３の映像処理方法は、高解像度の画像入力向けであり、もし入力画像の解像度が高くなく、データ量が大きくない場合には、使用されるＳＤＲＡＭも比較的少ないため、縮小処理を経る必要がなく、直接従来の方法でオーバードライブ処理を行う。このように、出力制御手順によって、予め入力画像の解像度に対する判断を行うことにより、後続処理方法を柔軟に選択し易くなる。
【００４１】
以上は本発明の好ましい実施例を示したものであり、これによって本発明の請求範囲を限るものではない。よって、本発明の請求に基づく同等の変化は、本発明の範囲内に属する。
【符号の説明】
【００４２】
１     バッファーユニット
２     縮小処理ユニット
３     ＳＤＲＡＭ（シンクロナス・ディーラム）
４     オーバードライブ処理ユニット
５     比較ユニット
６     復元処理ユニット
７     出力制御ユニット
８     圧縮処理ユニット
９     入力制御ユニット
【図１】
2016507780.tif 000003
【図２】
2016507780.tif 000004
【図３】
2016507780.tif 000005
【図４】
2016507780.tif 000006
【国際調査報告】
2016507780.tif 000007
2016507780.tif 000008
2016507780.tif 000009
2016507780.tif 000010